(57)【要約】【課題】制水扉を更新する際、戸当りを埋設戸当りから容易に取外すことができ、この時、モルタル層に無理な力が作用して損傷するのを防止し得る制水扉を提供する。【解決手段】戸当り６を埋設戸当り５に締結するための取付ボルト１１は、ボルト孔１９に挿通されて、埋設戸当り５に設けられた袋ナット１４にねじ込まれている。戸当り６のボルト孔１９の内周面には、取付ボルト１１よりも大きなサイズの押しボルトが螺合可能なめねじを形成している。取付ボルト１１を取外し、押しボルトを上記ボルト孔１９のめねじに螺合させて締込むことにより、押しボルトの先端が埋設戸当り５の表面に当接し、戸当り６が押しボルトによって埋設戸当り５から離間する方向へ強制的に送られるため、容易に戸当り６を埋設戸当り５から取外すことができる。【選択図】　図２
2004044237.tif 000002
【特許請求の範囲】
【請求項１】
土木構造体に取付けられる埋設戸当りと、埋設戸当りに装着される戸当りと、この戸当りを上記埋設戸当りに締結して固定する取付ボルトと、上記埋設戸当りと戸当りとの間に設けられて埋設戸当りと戸当りとの間をシールするパッキンと、上記戸当りに沿って昇降する扉体とが備えられた制水扉であって、
上記取付ボルトは、戸当りに形成されたボルト孔に挿通されて、埋設戸当り側にねじ込まれ、上記ボルト孔の内周面に、上記取付ボルトよりも大きなサイズの押しボルトが螺合可能なめねじを形成したことを特徴とする制水扉。
【請求項２】
土木構造体に取付けられる埋設戸当りと、埋設戸当りに装着される戸当りと、上記埋設戸当りと戸当りとの間に設けられて埋設戸当りと戸当りとの間をシールするパッキンと、上記戸当りに沿って昇降する扉体とが備えられた制水扉であって、
上記戸当りに、埋設戸当りに対向する裏面とこの裏面の反対側の表面とに開口する押しボルト用孔が形成され、上記押しボルト用孔の内周面に、押しボルトが螺合可能なめねじを形成し、上記押しボルト用孔の埋設戸当りとは反対側の開口部が着脱自在なねじ式の栓によって閉塞されていることを特徴とする制水扉。
【発明の詳細な説明】
【０００１】
【発明の属する技術分野】
本発明は、土木構造体に取付けられる埋設戸当りと、埋設戸当りに装着される戸当りとを備えた制水扉に関する。
【０００２】
【従来の技術】
従来、図８，図９に示すように、制水扉１は、土木構造体をなすコンクリート製の躯体２の呑口３に据付けられる。すなわち、上記制水扉１は、上記躯体２の一部として呑口３の周囲に一体に形成されたモルタル層４に埋設される埋設戸当り５と、この埋設戸当り５に装着される戸当り６と、この戸当り６に沿って昇降する扉体７とで構成されている。
【０００３】
上記埋設戸当り５は、四角枠状に形成され、躯体２に打設された複数本の基礎ボルト（図示省略）とナット（図示省略）とで固定されている。また、上記戸当り６は、四角枠状に形成され、左右両側部に扉体７を上下方向へ案内するガイド部８を有している。さらに、上記扉体７は、上記両ガイド部８に案内されながら昇降して、呑口３を開閉する。尚、制水扉１の上方には、扉体７を開閉（昇降）させる手動式又は電動式や油圧式の開閉装置（図示省略）が設置され、上記扉体７はスピンドル９を介して上記開閉装置に連動連結されている。
【０００４】
上記埋設戸当り５と戸当り６との間には、これら埋設戸当り５と戸当り６との間をシールするゴム製のパッキン１０が設けられている。また、上記戸当り６は複数本の取付ボルト１１（六角ボルト）によって埋設戸当り５に締結されて固定されている。
【０００５】
すなわち、図１０，図１１に示すように、戸当り６には、埋設戸当り５に対向する裏面６ａとこの裏面６ａの反対側の表面６ｂとに開口する複数のボルト孔１２が形成されている。また、埋設戸当り５には、上記各ボルト孔１２に対応するボルト孔１３が貫通して設けられている。さらに、埋設戸当り５の裏側（戸当り６とは反対側）で且つ上記ボルト孔１３と同位置には、袋ナット１４が溶接等により取付けられてモルタル層４に埋設されている。
【０００６】
これによると、埋設戸当り５と戸当り６との間にパッキン１０をセットした状態で、上記各取付ボルト１１を戸当り６の表面６ｂ側からボルト孔１２，１３に挿通して袋ナット１４にねじ込むことにより、図１０に示すように、戸当り６が埋設戸当り５に取付け固定される。
【０００７】
また、埋設戸当り５だけをモルタル層４側に残して制水扉１を更新する場合、図１１に示すように、上記各取付ボルト１１を取り外して、戸当り６一式を埋設戸当り５から取り外し、その後、新しい戸当り６一式を埋設戸当り５に装着する。
【０００８】
【発明が解決しようとする課題】
しかしながら上記の従来形式では、取付ボルト１１を取外して、戸当り６一式を埋設戸当り５から取り外す際、パッキン１０が埋設戸当り５と戸当り６とに付着してしまい、戸当り６を埋設戸当り５から取り外すのが困難になるといった問題がある。このような場合、図９の仮想線で示すように、ジャッキ１６等を用いて戸当り６を埋設戸当り５から無理に引き離していたが、埋設戸当り５が戸当り６と共に引張られて、埋設戸当り５をモルタル層４から引き離そうとする過大な力が作用するため、モルタル層４に亀裂が入るなどして損傷する恐れがある。
【０００９】
本発明は、戸当りを埋設戸当りから容易に取り外すことが可能で、取り外しの際、土木構造体側に無理な力が作用して損傷するのを防止することができる制水扉を提供することを目的とする。
【００１０】
【課題を解決するための手段】
上記目的を達成するために本第１発明では、土木構造体に取付けられる埋設戸当りと、埋設戸当りに装着される戸当りと、この戸当りを上記埋設戸当りに締結して固定する取付ボルトと、上記埋設戸当りと戸当りとの間に設けられて埋設戸当りと戸当りとの間をシールするパッキンと、上記戸当りに沿って昇降する扉体とが備えられた制水扉であって、
上記取付ボルトは、戸当りに形成されたボルト孔に挿通されて、埋設戸当り側にねじ込まれ、上記ボルト孔の内周面に、上記取付ボルトよりも大きなサイズの押しボルトが螺合可能なめねじを形成したものである。
【００１１】
これによると、埋設戸当りと戸当りとの間にパッキンをセットした状態で、取付ボルトを戸当りのボルト孔に挿通して埋設戸当り側にねじ込むことによって、戸当りが埋設戸当りに取付け固定される。
【００１２】
また、埋設戸当りだけを土木構造体側に残して制水扉を更新する場合、取付ボルトを戸当りのボルト孔から取り外した後、押しボルトを上記ボルト孔のめねじに螺合させて締め込む。この際、押しボルトは取付ボルトよりも大きなサイズであるため、押しボルトの先端は埋設戸当り側にねじ込まれず埋設戸当りの表面に当接する。この状態で、さらに押しボルトを締め込むことによって、戸当りが押しボルトによって埋設戸当りから離間する方向へ強制的に送られる（ねじ送りされる）ため、容易に戸当りを埋設戸当りから取り外すことができる。この際、上記押しボルトによって、戸当りを埋設戸当りから引き離す力が作用するのに対して、埋設戸当りを土木構造体から引き離そうとする力は作用しないため、土木構造体側に無理な力が作用することはなく、土木構造体の損傷を防止することができる。
【００１３】
また、本第２発明では、土木構造体に取付けられる埋設戸当りと、埋設戸当りに装着される戸当りと、上記埋設戸当りと戸当りとの間に設けられて埋設戸当りと戸当りとの間をシールするパッキンと、上記戸当りに沿って昇降する扉体とが備えられた制水扉であって、
上記戸当りに、埋設戸当りに対向する裏面とこの裏面の反対側の表面とに開口する押しボルト用孔が形成され、上記押しボルト用孔の内周面に、押しボルトが螺合可能なめねじを形成し、上記押しボルト用孔の埋設戸当りとは反対側の開口部が着脱自在なねじ式の栓によって閉塞されているものである。
【００１４】
これによると、上記開口部を栓によって閉塞することで、ごみや埃等の異物が上記開口部から押しボルト用孔内へ侵入するのを防止することができる。
また、埋設戸当りだけを土木構造体側に残して制水扉を更新する場合、上記栓を押しボルト用孔の開口部から取り外し、押しボルトを押しボルト用孔に締め込む。これにより、押しボルトの先端が埋設戸当りの表面に当接し、さらに押しボルトを締め込むことにより、戸当りが押しボルトによって埋設戸当りから離間する方向へ強制的に送られる（ねじ送りされる）ため、容易に戸当りを埋設戸当りから取り外すことができる。この際、上記押しボルトによって、戸当りを埋設戸当りから引き離す力が作用するのに対して、埋設戸当りを土木構造体から引き離そうとする力は作用しないため、土木構造体側に無理な力が作用することはなく、土木構造体の損傷を防止することができる。
【００１５】
【発明の実施の形態】
以下、本発明における第１の実施の形態を図１〜図４に基づいて説明する。
尚、従来のものと同一の構成については同じ符号を付記して説明を省略する。
【００１６】
図１〜図３に示すように、戸当り６は複数本の取付ボルト１１（六角ボルト）と座金２０とによって埋設戸当り５に締結されて固定されている。すなわち、戸当り６には、埋設戸当り５に対向する裏面６ａとこの裏面６ａの反対側の表面６ｂとに開口する複数のボルト孔１９が形成されている。また、埋設戸当り５には、上記各ボルト孔１９に対応するボルト孔１３が貫通して設けられている。
【００１７】
上記戸当り６のボルト孔１９の内周面には、上記取付ボルト１１よりも大きなサイズの押しボルト２１（六角ボルト：図４参照）が螺合可能なめねじ２２を形成している。尚、上記めねじ２２の内径は取付ボルト１１のおねじ外径よりも大きく設定され、めねじ２２の谷径は取付ボルト１１の頭部の対辺寸法よりも小さく設定されている。また、図４に示すように、押しボルト２１のおねじ谷径は上記ボルト孔１３の内径よりも大きく設定されている。
【００１８】
通常、上記めねじ２２の呼びサイズは取付ボルト１１の呼びサイズよりも１サイズ〜２サイズ大きなものに設定されている。例えば、呼びサイズがＭ１６の取付ボルト１１に対して、呼びサイズがＭ２２のめねじ２２と押しボルト２１とが用いられる。
【００１９】
以下、上記構成における作用を説明する。
図２に示すように、埋設戸当り５と戸当り６との間にパッキン１０をセットした状態で、上記各取付ボルト１１を戸当り６の表面６ｂ側からボルト孔１９，１３に挿通して袋ナット１４にねじ込むことにより、戸当り６が埋設戸当り５に取付け固定される。
【００２０】
また、埋設戸当り５だけをモルタル層４側に残して制水扉１を更新する場合、図３に示すように、各座金２０と取付ボルト１１とを取り外してボルト孔１９から脱抜し、その後、図４に示すように、押しボルト２１を上記ボルト孔１９のめねじ２２に螺合させて締め込む。この際、押しボルト２１は取付ボルト１１よりも１サイズ大きいため、押しボルト２１の径が埋設戸当り５のボルト孔１３の径よりも大きくなり、これにより、押しボルト２１の先端は、埋設戸当り５の表面に当接し、上記ボルト孔１３内に挿通されて袋ナット１４にねじ込まれることはない。
【００２１】
この状態で、さらに押しボルト２１を締め込むことによって、戸当り６が押しボルト２１によって埋設戸当り５から離間する方向へ強制的に送られる（ねじ送りされる）ため、ジャッキ等の特別な装置を使うこと無く、容易に戸当り６を埋設戸当り５から取り外すことができる。この際、上記押しボルト２１によって、戸当り６を埋設戸当り５から引き離す力Ｆが作用するのに対して、埋設戸当り５をモルタル層４から引き離そうとする力は作用しないため、モルタル層４に無理な力が作用することはなく、モルタル層４の損傷を防止することができる。
【００２２】
また、ボルト孔１９を取付ボルト１１と押しボルト２１とで兼用しているため、押しボルト２１専用のボルト孔を別途形成する必要は無く、したがって、ボルト孔の数を減らしてボルト孔形成の手間を省くことができる。
【００２３】
上記実施の形態では、図２に示すように、取付ボルト１１を袋ナット１４にねじ込んでいるが、袋ナット１４の代わりにナットを設けてもよい。また、袋ナット１４を設けず、埋設戸当り５のボルト孔１３の内周面にめねじを形成し、取付ボルト１１をボルト孔１３のめねじにねじ込んでもよい。
【００２４】
上記実施の形態では、取付ボルト１１をＭ１６、めねじ２２と押しボルト２１とをＭ２２にしているが、この呼びサイズに限定されることはない。また、めねじ２２の呼びサイズを取付ボルト１１の呼びサイズよりも１サイズ〜２サイズ大きなものにしているが、それ以上大きなものにしてもよい。
【００２５】
上記実施の形態では、めねじ２２の谷径を取付ボルト１１の頭部の対辺寸法よりも小さく設定しているが、めねじ２２の谷径を座金２０の外形よりも小さくなるように設定してもよい。
【００２６】
次に、本発明における第２の実施の形態を図５〜図７および図１０，図１１に基づいて説明する。
尚、従来のものと同一の構成については同じ符号を付記して説明を省略する。
【００２７】
図１０に示すように、戸当り６には複数のボルト孔１２が設けられ、埋設戸当り５にはボルト孔１３と袋ナット１４とが設けられ、取付ボルト１１を上記ボルト孔１２，１３に挿通して袋ナット１４にねじ込むことにより、戸当り６が埋設戸当り５に取付けられる。
【００２８】
図５〜図７に示すように、上記戸当り６には、上記ボルト孔１２とは別に、裏面６ａと表面６ｂとに開口する複数の押しボルト用孔２８が形成されている。これら各押しボルト用孔２８の内周面には、押しボルト２９（六角ボルト）が螺合可能なめねじ３０を形成している。上記押しボルト用孔２８の表面６ｂ側の開口部は着脱自在なねじ式のプラグ３１（栓の一例）によって閉塞されている。尚、プラグ３１の頭部と戸当り６の表面６ｂとの間には、円環状のシール用のパッキン３２が設けられている。
【００２９】
以下、上記構成における作用を説明する。
図６の実線で示すように、各押しボルト用孔２８の開口部をプラグ３１によって閉塞することで、ごみや埃等の異物が上記開口部から押しボルト用孔２８内へ侵入するのを防止することができる。
【００３０】
また、埋設戸当り５だけをモルタル層４側に残して制水扉１を更新する場合、図１１に示すように、各取付ボルト１１を取り外してボルト孔１２，１３から脱抜する。その後、図６の仮想線で示すように、プラグ３１を押しボルト用孔２８の開口部から取り外し、図７の実線で示すように、押しボルト２９を押しボルト用孔２８に締め込む。これにより、押しボルト２９の先端が埋設戸当り５の表面に当接し、さらに押しボルト２９を締め込むことにより、戸当り６が押しボルト２９によって埋設戸当り５から離間する方向へ強制的に送られる（ねじ送りされる）ため、容易に戸当り６を埋設戸当り５から取り外すことができる。
【００３１】
この際、上記押しボルト２９によって、戸当り６を埋設戸当り５から引き離す力Ｆが作用するのに対して、埋設戸当り５をモルタル層４から引き離そうとする力は作用しないため、モルタル層４に無理な力が作用することはなく、モルタル層４の損傷を防止することができる。
【００３２】
【発明の効果】
以上のように本第１発明によると、埋設戸当りだけを土木構造体側に残して制水扉を更新する場合、取付ボルトを戸当りのボルト孔から取り外した後、押しボルトを上記ボルト孔のめねじに螺合させて締め込む。この際、押しボルトは取付ボルトよりも大きなサイズであるため、押しボルトの先端が埋設戸当り側にねじ込まれず埋設戸当りの表面に当接する。この状態で、さらに押しボルトを締め込むことによって、戸当りが押しボルトによって埋設戸当りから離間する方向へ強制的に送られる（ねじ送りされる）ため、容易に戸当りを埋設戸当りから取り外すことができる。この際、上記押しボルトによって、戸当りを埋設戸当りから引き離す力が作用するのに対して、埋設戸当りを土木構造体から引き離そうとする力は作用しないため、土木構造体側に無理な力が作用することはなく、土木構造体の損傷を防止することができる。
【００３３】
また、本第２発明によると、埋設戸当りだけを土木構造体側に残して制水扉を更新する場合、栓を押しボルト用孔の開口部から取り外し、押しボルトを押しボルト用孔に締め込む。これにより、押しボルトの先端が埋設戸当りの表面に当接し、さらに押しボルトを締め込むことにより、戸当りが押しボルトによって埋設戸当りから離間する方向へ強制的に送られる（ねじ送りされる）ため、容易に戸当りを埋設戸当りから取り外すことができる。この際、上記押しボルトによって、戸当りを埋設戸当りから引き離す力が作用するのに対して、埋設戸当りを土木構造体から引き離そうとする力は作用しないため、土木構造体側に無理な力が作用することはなく、土木構造体の損傷を防止することができる。
【図面の簡単な説明】
【図１】本発明の第１の実施の形態における制水扉の正面図である。
【図２】同、制水扉の戸当りを取付ボルトで埋設戸当りに締結した構造を示す断面図である。
【図３】同、制水扉の戸当りと埋設戸当りとの締結部分の断面図であり、取付ボルトを取り外した状態を示す。
【図４】同、制水扉の戸当りと埋設戸当りとの締結部分の断面図であり、押しボルトを用いて戸当りを埋設戸当りから取り外した状態を示す。
【図５】本発明の第２の実施の形態における制水扉の正面図である。
【図６】同、制水扉の押しボルト用孔の部分の断面図であり、押しボルト用孔をプラグで閉塞した状態を示す。
【図７】同、制水扉の押しボルト用孔の部分の断面図であり、押しボルトを用いて戸当りを埋設戸当りから取り外した状態を示す。
【図８】従来の制水扉の正面図である。
【図９】図８におけるＸ−Ｘ矢視図である。
【図１０】同、制水扉の戸当りを取付ボルトで埋設戸当りに締結した構造を示す断面図である。
【図１１】同、制水扉の取付ボルトを取り外して、戸当りを埋設戸当りから取り外した断面図である。
【符号の説明】
１　　制水扉
２　　躯体（土木構造体）
４　　モルタル層（土木構造体）
５　　埋設戸当り
６　　戸当り
７　　扉体
１０　　パッキン
１１　　取付ボルト
１９　　ボルト孔
２１　　押しボルト
２２　　めねじ
２８　　押しボルト用孔
２９　　押しボルト
３０　　めねじ
３１　　プラグ（栓）
【図１】
2004044237.tif 000003
【図２】
2004044237.tif 000004
【図３】
2004044237.tif 000005
【図４】
2004044237.tif 000006
【図５】
2004044237.tif 000007
【図６】
2004044237.tif 000008
【図７】
2004044237.tif 000009
【図８】
2004044237.tif 000010
【図９】
2004044237.tif 000011
【図１０】
2004044237.tif 000012
【図１１】
2004044237.tif 000013